(57)【要約】    【課題】  主画面に表示された映像内容がＣＭになった場合の音声切り替えを自動的に行うことができるテレビジョン受像機を提供する。    【解決手段】  テレビチューナである第１信号源の出力映像信号と第２信号源の出力映像信号とを合成して第１信号源の出力映像信号に応じた映像をディスプレイ画面内に主画面映像として表示し、第２信号源の出力映像信号に応じた映像をディスプレイ画面内に副画面映像として表示する多画面表示手段と、第１信号源の受信中のテレビ放送内容がＣＭであることを検出するＣＭ検出手段と、第１信号源の受信中のテレビ放送内容がＣＭであることが検出されていない間においては第１信号源の出力音声信号を出力し、第１信号源の受信中のテレビ放送内容がＣＭであることが検出されている間においては第２信号源の出力音声信号を出力する音声選択手段と、を備えた。【選択図】  図２
2006279447.tif 000002
【特許請求の範囲】
【請求項１】
テレビ放送波の受信信号を復調して映像信号と音声信号とを出力する第１信号源と、
映像信号と音声信号とを出力する第２信号源と、
前記第１信号源の出力映像信号と前記第２信号源の出力映像信号とを合成して前記第１信号源の出力映像信号に応じた映像をディスプレイ画面内に主画面映像として表示し、前記第２信号源の出力映像信号に応じた映像を前記ディスプレイ画面内に副画面映像として表示する多画面表示手段と、
前記第１信号源の受信中のテレビ放送内容がＣＭ（コマーシャル）であることを検出するＣＭ検出手段と、
前記ＣＭ検出手段によって前記第１信号源の受信中のテレビ放送内容がＣＭであることが検出されていない間においては前記第１信号源の出力音声信号を出力し、前記第１信号源の受信中のテレビ放送内容がＣＭであることが検出されている間においては前記第２信号源の出力音声信号を出力する音声選択手段と、を備えたことを特徴とするテレビジョン受像機。
【請求項２】
前記多画面表示手段は、前記ＣＭ検出手段によって前記第１信号源の受信中のテレビ放送内容がＣＭであることが検出されている間においては前記第１信号源の出力映像信号と前記第２信号源の出力映像信号とを合成して前記第１信号源の出力映像信号に応じた映像を前記ディスプレイ画面内に副画面映像として表示し、前記第２信号源の出力映像信号に応じた映像を前記ディスプレイ画面内に主画面映像として表示することを特徴とする請求項１記載のテレビジョン受像機。
【請求項３】
前記ＣＭ検出手段は、前記第１信号源の受信信号中の音声信号成分に応じて受信中のテレビ放送波がモノラル放送波又は２カ国語放送波からステレオ音声多重放送波に変化した場合にＣＭ放送受信中と判別し、そのＣＭ放送受信中と判別後、モノラル放送波又は２カ国語放送波に変化した場合には、ＣＭ放送終了と判別することを特徴とする請求項１記載のテレビジョン受像機。
【発明の詳細な説明】
【技術分野】
【０００１】
本発明は、多画像同時表示が可能なテレビジョン受像機に関する。
【背景技術】
【０００２】
テレビジョン受像機においては、複数のチューナを備えてそれらチューナで受信された放送波から得られた各番組映像を１つのディスプレイ画面に同時に表示することができる、いわゆる多画像同時表示機能を有するものがある（特許文献１参照）。
【０００３】
多画像同時表示方法としては、ディスプレイ画面内に２映像を同一形状の画面で個別に表示する２画面表示法と、ディスプレイ全画面に映像を表示し、その一部に小画面で映像を表示するＰｉｎＰ(ピクチャ・イン・ピクチャ)画面表示法と、ディスプレイ画面内に大小画面で映像を個別に表示するＰｏｕｔＰ(ピクチャ・アウト・ピクチャ)画面表示法とが一般に知られている。２画面表示法ではディスプレイ画面内の左右に画像を各々表示する画面が形成され、その左側画面が主画面であり、右側画面が副画面である。ＰｉｎＰ画面表示法及びＰｏｕｔＰ画面表示法では、大画面が主画面であり、小画面が副画面である。このような多画像同時表示が可能なテレビジョン受像機では、放送中の複数の番組各々の映像を同時に視認することができるという利点がある。
【特許文献１】特開平１０−２８５４８９号公報
【発明の開示】
【発明が解決しようとする課題】
【０００４】
しかしながら、多画像同時表示が可能なテレビジョン受像機においては、音声については主画面に映像が表示された番組が優先され、副画面に映像が表示された番組の音声を聴取したい場合にはユーザがリモコン等を操作することによって音声出力を切り替える必要があった。特に、主画面に表示された映像が番組映像からＣＭ（コマーシャル）となった場合には、副画面に表示されている番組映像についての音声を聴取するためにユーザが操作することによって音声出力を切り替えると、ＣＭ終了時にはユーザが再度操作することによって音声出力を切り替えて元に戻す必要があるという欠点があった。
【０００５】
本発明が解決しようとする課題には、上記の欠点が一例として挙げられ、主画面に表示された映像内容がＣＭになった場合に音声切り替えを自動的に行うことができる多画像同時表示が可能なテレビジョン受像機を提供することが本発明の目的である。
【課題を解決するための手段】
【０００６】
請求項１に係る発明のテレビジョン受像機は、テレビ放送波の受信信号を復調して映像信号と音声信号とを出力する第１信号源と、映像信号と音声信号とを出力する第２信号源と、前記第１信号源の出力映像信号と前記第２信号源の出力映像信号とを合成して前記第１信号源の出力映像信号に応じた映像をディスプレイ画面内に主画面映像として表示し、前記第２信号源の出力映像信号に応じた映像を前記ディスプレイ画面内に副画面映像として表示する多画面表示手段と、前記第１信号源の受信中のテレビ放送内容がＣＭ（コマーシャル）であることを検出するＣＭ検出手段と、前記ＣＭ検出手段によって前記第１信号源の受信中のテレビ放送内容がＣＭであることが検出されていない間においては前記第１信号源の出力音声信号を出力し、前記第１信号源の受信中のテレビ放送内容がＣＭであることが検出されている間においては前記第２信号源の出力音声信号を出力する音声選択手段と、を備えたことを特徴としている。
【発明を実施するための最良の形態】
【０００７】
以下、本発明の実施例を図面を参照しつつ詳細に説明する。
【０００８】
図１は本発明によるテレビジョン受像機の構成を示している。このテレビジョン受像機は、第１チューナ１、第２チューナ２、外部入力部３、制御部４、音声切替部５、スピーカ６、マルチ画面処理部７、操作部８及び表示装置９を備えている。第１チューナ１、第２チューナ２及び外部入力部３が信号源である。
【０００９】
第１チューナ１及び第２チューナ２はアンテナ１１を介して任意のテレビ放送波を受信しその受信信号を復調して映像信号及び音声信号を出力する。第１チューナ１及び第２チューナ２は同一の地上波放送用のものでも良いし、地上波放送用とＢＳ放送用とのように互いに異なっても良い。また、第１チューナ１及び第２チューナ２は、音声多重デコーダ１ａ及び２ａを備えており、受信中のテレビ放送波がステレオ音声多重放送波である場合にはステレオ音声信号を出力し、テレビ放送波が２カ国語放送波である場合にはいずれか一方の国語のモノラル音声信号を選択的に又は双方の国語のステレオ音声信号を出力する。音声多重デコーダ１ａ及び２ａは受信中のテレビ放送波がステレオ音声多重放送波、２カ国語放送波及びモノラル放送波のいずれであるか示す放送モード信号を受信信号中の音声信号成分（音声多重信号）に含まれるパイロット信号に基づいて生成して出力する。
【００１０】
第１チューナ１及び第２チューナ２各々の音声出力は音声切替部５に接続され、映像出力はマルチ画面処理部７に接続されている。また、第１チューナ１及び第２チューナ２各々の放送モード信号出力は制御部４に接続されている。
【００１１】
外部入力部３は、ＤＶＤプレーヤ等の外部装置から供給される映像信号及び音声信号を入力する。外部入力部３の音声出力は音声切替部５に接続され、映像出力はマルチ画面処理部７に接続されている。
【００１２】
制御部４は、マイクロコンピュータからなり、第１チューナ１及び第２チューナ２各々から供給される放送モード信号に応じてＣＭ放送受信中を個別に判別するＣＭ判別機能を有する。すなわち、第１チューナ１及び第２チューナ２各々の放送モード信号が受信中のテレビ放送波がモノラル放送波又は２カ国語放送波であることを示すときにそれがステレオ音声多重放送波に変化した場合にＣＭ放送受信中と判別する。ＣＭ放送受信中と判別後、放送モード信号がモノラル放送波又は２カ国語放送波であることを示す状態に変化した場合には、ＣＭ放送終了と判別する。なお、ＣＭ判別方法については上記の特許文献１に示されている。
【００１３】
操作部８は、キーボードを有し、ユーザによるキー操作に応じて第１チューナ１又は第２チューナ２の受信チャンネルの選択、並びに第１チューナ１、第２チューナ２及び外部入力部３の選択を制御部４に指令する。また、操作部８はキー操作に応じてマルチ画面表示を制御部４に指令する。操作部８は、リモコン式の操作部でも良い。制御部４は操作部８の操作に応答して第１チューナ１及び第２チューナ２各々の受信チャンネル、並びに音声切替部５及びマルチ画面処理部７各々の動作を制御する。制御部４による制御の詳細については後述する。
【００１４】
音声切替部５は第１チューナ１、第２チューナ２及び外部入力部３各々からの音声信号を制御部４の指令に応じて選択的にスピーカ６に供給する。マルチ画面処理部７は制御部４の指令に応じて第１チューナ１、第２チューナ２及び外部入力部３各々からの映像信号を合成してマルチ画面の映像信号を作成して出力するか、第１チューナ１、第２チューナ２及び外部入力部３各々の映像信号のうちの１の映像信号を選択して出力する。マルチ画面処理部７から出力される映像信号は表示装置９に供給される。
【００１５】
表示装置９は、例えば、ＰＤＰ（プラズマディスプレイ）装置であり、供給される映像信号が示す画像を表示する。
【００１６】
かかる構成を有するテレビジョン受像機のマルチ画面表示モード時の動作について図２のフローチャートを参照しつつ説明する。ここでは、マルチ画面表示として２画面表示の場合についてとする。なお、画面とは表示装置９のディスプレイ画面上の全部又はその一部に１つの映像が表示される範囲である。２画面表示とは２つの映像がディスプレイ画面上の２つの画面位置に各々表示されることである。２画面の場合、一方が主画面であり、他方が副画面である。
【００１７】
制御部４は、ユーザによる操作部８のキー操作がマルチ画面表示をオン指令する操作である場合には、マルチ画面表示モードの初期動作を開始する（ステップＳ１）。
【００１８】
マルチ画面表示モードの初期動作においては、制御部４は、２画面表示法、ＰｉｎＰ画面表示法及びＰｏｕｔＰ画面表示法のうちのいずれの１の表示法と、主画面に表示される映像の信号源と、副画面に表示される映像の信号源とを各々指定する指令をマルチ画面処理部７に供給し、音声出力させる信号源を指定する指令を音声切替部５に供給する。マルチ画面表示モード開始直前まで表示装置９に全画面で又は映像サイズに対応した最大画面サイズで表示されていた映像の信号源が、主画面に表示される映像の信号源及び音声出力させる信号源となる。
【００１９】
マルチ画面処理部７は制御部４によって指定された表示法になるように主画面用映像信号源からの映像信号と副画面用映像信号源からの映像信号とを合成し、合成映像信号を表示装置９に供給する。また、音声切替部５は制御部４によって指定された主画面用の信号源からの出力音声信号をスピーカ６に供給する。このマルチ画面モード時には、２画面表示法、ＰｉｎＰ画面表示法及びＰｏｕｔＰ画面表示法のうちいずれか１つの表示法を操作部８のキー操作に応じて選択することができる。表示法の切替の操作があると、制御部４はマルチ画面処理部７に対して切替後の表示法を指定する指令を発する。
【００２０】
制御部４はステップＳ１の実行後、ユーザによる操作部８のキー操作によってＣＭ自動切替がオンとなったか否かを判別する（ステップＳ２）。
【００２１】
ＣＭ自動切替がオンであるならば、制御部４は主画面用映像信号源がチューナであるか否かを判別する（ステップＳ３）。すなわち、主画面に表示される映像の信号源はチューナ１又は２であるか否かが判別される。主画面に表示される映像信号源が外部入力部３であるならば、制御部４はマルチ画面処理部７に対して非対応であることを表示装置９の画面に表示させるために指令を発する（ステップＳ４）。マルチ画面処理部７は制御部４の指令に対応して現表示映像にスーパインポーズさせるように合成映像信号を作成して表示装置９に供給する。表示装置９のディスプレイ画面には、例えば、「ＣＭ自動切替の際に外部入力映像は非対応です」のような文字がスーパインポーズによって一時的に表示される。
【００２２】
主画面用映像信号源がチューナ１又は２であるならば、制御部４は、主画面用映像信号源のチューナで受信中のテレビ放送波がステレオ音声多重放送波以外であるか否かを判別する（ステップＳ５）。すなわち、現主画面用映像信号源であるチューナで受信中のテレビ放送波はモノラル放送波又は２カ国語放送波であることが判別される。制御部４はステップＳ５の判別を主画面用映像信号源として現在割り当てられたチューナからの放送モード信号を得て行う。そのチューナがステレオ音声多重放送波を受信中であるならば、マルチ画面処理部７に対して非対応であることを表示装置９の画面に表示させるために指令を発する（ステップＳ６）。マルチ画面処理部７は制御部４の指令に対応して現表示映像にスーパインポーズさせるように合成映像信号を作成して表示装置９に供給する。表示装置９のディスプレイ画面には、例えば、「ＣＭ自動切替はステレオ音声多重番組に非対応です」のような文字がスーパインポーズによって一時的に表示される。なお、ステップＳ５の判別は主画面用映像信号源に現在割り当てられたチューナの受信チャンネルとＥＰＧ（電子番組案内）のような放送モード情報を含む番組案内情報とに基づいて行っても良い。
【００２３】
主画面用映像信号源として現在割り当てられたチューナがモノラル放送波又は２カ国語放送波を受信中であるならば、制御部４はそのチューナがＣＭ放送受信中であるか否かを判別する（ステップＳ７）。ステップＳ７は主画面用映像信号源に現在割り当てられたチューナからの放送モード信号が現在、ステレオ音声多重放送波を示すか否かによって判別される。上記したように、第１チューナ１及び第２チューナ２各々の放送モード信号が受信中のテレビ放送波がモノラル放送波又は２カ国語放送波であることを示すときにそれがステレオ音声多重放送波に変化した場合にＣＭ放送受信中と判別する。
【００２４】
ステップＳ７の判別結果がＣＭ放送受信中ではないならば、ステップＳ７が繰り返し実行される。一方、ステップＳ７の判別結果がＣＭ放送受信中ならば、音声出力させる信号源（音声出力信号源）として現在割り当てられている副画面用映像信号源を指定する指令を音声切替部５に供給する（ステップＳ８）。音声切替部５は制御部４によって指定された副画面用映像信号源からの出力音声信号をスピーカ６に供給する。よって、主画面用映像信号源であるチューナがＣＭ放送受信中には、副画面用映像信号源による音声がスピーカ６から発せられる。
【００２５】
制御部４はステップＳ８の実行後、その主画面用映像信号源に現在割り当てられたチューナで受信されていたＣＭ放送が終了したか否かを判別する（ステップＳ９）。ＣＭ放送受信中と判別後、放送モード信号がモノラル放送波又は２カ国語放送波であることを示す状態に変化した場合には、ＣＭ放送終了と判別する。ステップＳ９の判別結果がＣＭ放送受信中でならば、ステップＳ９が繰り返し実行される。一方、ＣＭ放送終了ならば、音声出力信号源として主画面用映像信号源であるチューナを指定する指令を音声切替部５に供給する（ステップＳ１０）。音声切替部５は制御部４によって指定された主画面用映像信号源（チューナ）からの出力音声信号をスピーカ６に供給する。よって、主画面用映像信号源のチューナによる音声がＣＭ放送終了後にはスピーカ６から発せられる。ステップＳ１０の実行後、ステップＳ２に戻って上記の動作が繰り返えされる。
【００２６】
なお、操作部８のキー操作によってマルチ画面表示のオフ指令が発せられた場合には、制御部４は直ちにマルチ画面処理部７に対して主画面用映像信号源の映像を表示装置９に全画面又は映像サイズに対応した最大画面サイズで表示させるように指令し、これによりマルチ画面表示モードが終了する。
【００２７】
図３(a)〜図３(c)は２画面表示法で表示装置９のディスプレイ画面上に形成された主画面及び副画面を示している。２画面表示法では主画面は左側であり、副画面は右側である。また、図４(a)〜図４(c)はＰｉｎＰ画面表示法で表示装置９のディスプレイ画面上に形成された主画面及び副画面を示している。ＰｉｎＰ画面表示法では主画面はディスプレイ画面全体であり、副画面は主画面内の一部である。なお、これらの図において主画面及び副画面内には主画面用映像信号源及び副画面用映像信号源として割り当てられたチューナ（第１チューナ又は第２チューナ）を示している。図３(a)及び図４(a)では番組放送時に主画面用映像信号源が第１チューナ１に割り当てられ、副画面用映像信号源が第２チューナ２に割り当てられていることを示している。また、音声出力信号源は第１チューナ１に割り当てられていることを音符マークの位置によって示している。よって、スピーカ６からは第１チューナ１で受信中の放送番組の音声が出力される。
【００２８】
第１チューナ１で受信中の放送内容がＣＭに移行すると、図３(b)及び図４(b)に示すように音符マークの位置が副画面側に移動し、音声出力信号源は第２チューナ２の割り当てに変更されてスピーカ６からは第２チューナ２で受信中の放送番組の音声が出力される。第１チューナ１で受信されていたＣＭ放送が終了して番組放送に戻ると、図３(c)及び図４(c)に示すように音符マークの位置が主画面側に移動し、音声出力信号源は第１チューナ１の割り当てに戻ってスピーカ６からは第１チューナ１で受信中の放送番組の音声が出力される。
【００２９】
図５は本発明の他の実施例としてマルチ画面表示モード時の動作をフローチャートで示している。図２に示したマルチ画面表示モード時の動作と同一部分は同一符号で示している。ステップＳ７の判別結果がＣＭ放送受信中ならば、音声出力信号源として現在割り当てられている副画面用映像信号源を指定する指令を音声切替部５に供給し（ステップＳ８）、主画面用映像信号源と副画面用映像信号源とを入れ替える指令をマルチ画面処理部７に供給する（ステップＳ１１）。音声切替部５は制御部４によって指定された副画面用映像信号源からの出力音声信号をスピーカ６に供給し、マルチ画面処理部７はステップＳ１の実行時点での副画面用映像信号源を主画面用映像信号源とし、ステップＳ１の実行時点での主画面用映像信号源を副画面用映像信号源として各映像信号を合成し、合成映像信号を表示装置９に供給する。よって、主画面用映像信号源であるチューナがＣＭ放送受信中には、副画面用映像信号源による音声がスピーカ６から発せられ、表示装置９においては主画面の映像と副画面の映像とが入れ替わって表示される。
【００３０】
ステップＳ９の判別結果がＣＭ放送終了ならば、音声出力信号源として主画面用映像信号源であるチューナを指定する指令を音声切替部５に供給し（ステップＳ１０）、主画面用映像信号源と副画面用映像信号源とを入れ替えて元に戻す指令をマルチ画面処理部７に供給する（ステップＳ１２）。音声切替部５は制御部４によって指定された主画面用映像信号源（チューナ）からの出力音声信号をスピーカ６に供給する。マルチ画面処理部７はステップＳ１の実行時点での主画面用映像信号源の映像信号と副画面用映像信号源の映像信号とを合成し、合成映像信号を表示装置９に供給する。よって、ＣＭ放送終了後の番組放送受信時には、主画面用映像信号源のチューナによる音声がＣＭ放送終了後にはスピーカ６から発せられる。表示装置９においては主画面の映像と副画面の映像とが初期の位置に戻って表示される。なお、図５に示したその他の動作は図２の場合と同様である。
【００３１】
図６(a)〜図６(c)は図５のマルチ画面表示モード時の動作によって２画面表示法で表示装置９のディスプレイ画面上に形成された主画面及び副画面を示している。図７(a)〜図７(c)はＰｏｕｔＰ画面表示法で表示装置９のディスプレイ画面上に形成された主画面及び副画面を示している。ＰｏｕｔＰ画面表示法では主画面はディスプレイ画面内左側の大画面であり、副画面は右側の小画面である。図８(a)〜図８(c)はＰｉｎＰ画面表示法で表示装置９のディスプレイ画面上に形成された主画面及び副画面を示している。なお、これらの図において主画面及び副画面内には主画面用映像信号源及び副画面用映像信号源として割り当てられたチューナ（第１チューナ又は第２チューナ）を示している。図６(a)、図７(a)及び図８(a)では番組放送時に主画面用映像信号源が第１チューナ１に割り当てられ、副画面用映像信号源が第２チューナ２に割り当てられていることを示している。また、音声出力信号源は第１チューナ１に割り当てられていることを音符マークの位置によって示している。よって、スピーカ６からは第１チューナ１で受信中の放送番組の音声が出力される。
【００３２】
第１チューナ１で受信中の放送内容がＣＭに移行すると、図６(b)、図７(b)及び図８(b)に示すように音符マークの位置が副画面側に移動し、音声出力信号源は第２チューナ２の割り当てに変更されてスピーカ６からは第２チューナ２で受信中の放送番組の音声が出力される。主画面には第２チューナ２の受信映像が表示され、副画面には第１チューナ１の受信ＣＭ映像が表示される。
【００３３】
第１チューナ１で受信されていたＣＭ放送が終了して番組放送に戻ると、図６(c)、図７(c)及び図８(c)に示すように音符マークの位置が主画面側に移動し、音声出力信号源は第１チューナ１の割り当てに戻ってスピーカ６からは第１チューナ１で受信中の放送番組の音声が出力される。主画面には第１チューナ１の受信映像が表示され、副画面には第２チューナ２の受信映像が表示される。
【００３４】
なお、上記した実施例においては、マルチ画面表示として２画面表示を示したが、本発明は２画面表示に限定されない。３画面以上の表示を行っても良い。なお、副画面は外部入力部からのデータを含む。
【００３５】
以上の如く、本発明によれば、テレビチューナである第１信号源の出力映像信号と第２信号源の出力映像信号とを合成して第１信号源の出力映像信号に応じた映像をディスプレイ画面内に主画面映像として表示し、前記第２信号源の出力映像信号に応じた映像を前記ディスプレイ画面内に副画面映像として表示し、第１信号源の受信中のテレビ放送内容がＣＭであることが検出されていない間においては第１信号源の出力音声信号を出力し、第１信号源の受信中のテレビ放送内容がＣＭであることが検出されている間においては第２信号源の出力音声信号を出力するので、主画面に表示された映像内容がＣＭになった場合に副画面映像に伴う音声が出力され、またＣＭ放送が終了した場合は元の主画面映像に伴う音声の出力状態に戻る。よって、ＣＭ放送中は裏番組等の他の番組を視聴することができ、ＣＭ放送の終了後は直ちに主画面に映像表示された番組を欠くことなく視聴することができる。
【図面の簡単な説明】
【００３６】
【図１】本発明によるテレビジョン受像機の構成を示すフロック図である。
【図２】図１のテレビジョン受像機のマルチ画面表示モード時の動作例を示すフローチャートである。
【図３】２画面表示法でディスプレイ画面上に形成された主画面及び副画面各々における表示映像並びに音声出力状態を示す図である。
【図４】ＰｉｎＰ画面表示法でディスプレイ画面上に形成された主画面及び副画面各々における表示映像並びに音声出力状態を示す図である。
【図５】図１のテレビジョン受像機のマルチ画面表示モード時の別の動作例を示すフローチャートである。
【図６】２画面表示法でディスプレイ画面上に形成された主画面及び副画面各々における表示映像並びに音声出力の別の状態を示す図である。
【図７】ＰｏｕｔＰ画面表示法でディスプレイ画面上に形成された主画面及び副画面各々における表示映像並びに音声出力状態を示す図である。
【図８】ＰｉｎＰ画面表示法でディスプレイ画面上に形成された主画面及び副画面各々における表示映像並びに音声出力状態を示す図である。
【符号の説明】
【００３７】
１，２  チューナ
３  外部入力部
４  制御部
５  音声切替部
７  マルチ画面処理部
【図１】
2006279447.tif 000003
【図２】
2006279447.tif 000004
【図３】
2006279447.tif 000005
【図４】
2006279447.tif 000006
【図５】
2006279447.tif 000007
【図６】
2006279447.tif 000008
【図７】
2006279447.tif 000009
【図８】
2006279447.tif 000010